(57)【要約】【課題】  本発明は、ＥＶＦの使用時において、電子カメラに搭載されている電池の消費電力を抑制する電子カメラを提供する。【解決手段】  電子カメラは、撮像素子と、表示部と、撮影準備動作検出部と、表示制御部と、を備える。撮像素子は、被写体を撮像して画像を生成する。表示部は、画像を表示する。撮影準備動作検出部は、撮影に先立って撮影準備動作の開始を検出する。表示制御部は、撮影準備動作の開始を受けて、表示部の輝度を変更する。【選択図】    図３
2009278453.tif 000002
【特許請求の範囲】
【請求項１】
被写体を撮像して画像を生成する撮像素子と、
前記画像を表示する表示部と、
撮影に先立って撮影準備動作の開始を検出する撮影準備動作検出部と、
前記撮影準備動作の開始を受けて、前記表示部の輝度を変更する表示制御部と、
を備えることを特徴とする電子カメラ。
【請求項２】
請求項１に記載の電子カメラにおいて、
前記表示制御部は、前記表示部に投入する電力に応じて前記輝度を変更することを特徴とする電子カメラ。
【請求項３】
請求項１に記載の電子カメラにおいて、
前記表示部は、
前記画像を表示する液晶表示パネルと、前記液晶表示パネルの背面側に配置され、連続発光若しくはパルス発光するバックライトとを有し、
前記表示制御部は、
前記パルス発光のデューティ比を変えることにより、前記バックライトの発光状態を制御することを特徴とする電子カメラ。
【請求項４】
請求項１から請求項３のいずれか１項に記載の電子カメラにおいて、
複数の測距点を測距することにより、前記測距点の内から合焦点を検出する焦点検出手段をさらに備え、
前記表示制御部は、前記焦点検出手段により検出された前記合焦点を示す所定のマークを、前記表示部の画面上に重畳表示することを特徴とする電子カメラ。
【請求項５】
請求項１に記載の電子カメラにおいて、
前記表示部は、覗き式の電子ビューファインダであることを特徴とする電子カメラ。
【発明の詳細な説明】
【技術分野】
【０００１】
本発明は、表示機能を備える電子カメラに関する。
【背景技術】
【０００２】
従来、表示機能を備える電子カメラとして、電子ビューファインダ（ＥＶＦ：Ｅｌｅｃｔｒｉｃａｌ  Ｖｉｅｗ  Ｆｉｎｄｅｒ（以下、「ＥＶＦ」という。））付き電子カメラが開示されている（例えば、特許文献１、２参照）。
【０００３】
このＥＶＦは、従来のカメラの光学式ファインダ（ＯＶＦ：Ｏｐｔｉｃａｌ  Ｖｉｅｗ  Ｆｉｎｄｅｒ）に相当する機能を有するものである。光学式ファインダは、例えば、ペンタプリズムの使用により撮影対象となる画像を表示させる。一方、ＥＶＦは、撮影レンズからの入射光を撮像素子で捕らえて画像信号に変換し、液晶画面などのファインダに画像を電力の供給により表示させる。
【０００４】
電子カメラに用いられるＥＶＦとしては、覗き式のＥＶＦや、電子カメラの背面に設けられた液晶表示パネル（ＬＣＤ：Ｌｉｑｕｉｄ  Ｃｒｙｓｔａｌ  Ｄｉｓｐｌａｙ）などをＥＶＦとして用いるものが採用されている。
【特許文献１】特許第３５５１１２３号
【特許文献２】特開２００１−２５１５４０号公報
【発明の開示】
【発明が解決しようとする課題】
【０００５】
ところで、ＥＶＦは、使用時に画像を表示し続ける必要があり、ＥＶＦの消費電力によっては電子カメラに搭載されている電池の寿命が短くなるという問題が生じる。
【０００６】
そこで、本発明は、上記事情に鑑み、ＥＶＦの使用時において、電子カメラに搭載されている電池の消費電力を抑制する電子カメラを提供することを目的とする。
【課題を解決するための手段】
【０００７】
第１の発明に係る電子カメラは、撮像素子と、表示部と、撮影準備動作検出部と、表示制御部と、を備える。撮像素子は、被写体を撮像して画像を生成する。表示部は、画像を表示する。撮影準備動作検出部は、撮影に先立って撮影準備動作の開始を検出する。表示制御部は、撮影準備動作の開始を受けて、表示部の輝度を変更する。
【０００８】
第２の発明は、第１の発明において、表示制御部は、表示部に投入する電力に応じて輝度を変更する。
【０００９】
第３の発明は、第１の発明において、表示部は、画像を表示する液晶表示パネルと、液晶表示パネルの背面側に配置され、連続発光若しくはパルス発光するバックライトとを有する。表示制御部は、パルス発光のデューティ比を変えることにより、バックライトの発光状態を制御する。
【００１０】
第４の発明は、第１から第３のいずれか１の発明において、複数の測距点を測距することにより、測距点の内から合焦点を検出する焦点検出手段をさらに備える。表示制御部は、焦点検出手段により検出された合焦点を示す所定のマークを、表示部の画面上に重畳表示する。
【００１１】
第５の発明は、第１の発明において、表示部は、覗き式の電子ビューファインダである。
【発明の効果】
【００１２】
本発明の電子カメラによれば、ＥＶＦの使用時において、電子カメラに搭載されている電池の消費電力を抑制することができる。
【発明を実施するための最良の形態】
【００１３】
（第１実施形態）
以下、図面に基づいて本発明の実施の形態を詳細に説明する。
【００１４】
図１は、第１実施形態の電子カメラ１を側面から見た概略断面図である。図１に示す通り電子カメラ１は、カメラ本体１０と、撮影レンズ１０ａを収容したレンズユニット１０ｂとを有する。
【００１５】
カメラ本体１０には、撮像素子１４と、ＣＰＵ（Ｃｅｎｔｒａｌ  Ｐｒｏｃｅｓｓｉｎｇ  Ｕｎｉｔ）２１と、第１液晶表示部２３と、接眼レンズ３と、第２液晶表示部２５とが配置されている。撮像素子１４は、撮影レンズ１０ａの光軸に沿って配置されている。第１液晶表示部２３及び接眼レンズ３は、カメラ本体１０内の上部領域に配置されている。第１液晶表示部２３は、第１液晶表示パネル２３ａと、連続発光若しくはパルス発光する第１ＬＥＤ２３ｂとを有する。第２液晶表示部２５は、電子カメラ１の背面に配置されている。第２液晶表示部２５は、第２液晶表示パネル２５ａと、連続発光若しくはパルス発光する第２ＬＥＤ２５ｂとを有する。また、カメラ本体１０の上面には、レリーズボタン２０ａが備えられている。
【００１６】
図２は、図１に示す電子カメラ１の背面図である。図２に示す通り、電子カメラ１の背面側には、接眼レンズ３（不図示）を介して第１液晶表示パネル２３ａと、第２液晶表示パネル２５ａと、広角ズームキー２０ｂと、望遠ズームキー２０ｃと、電源ボタン２０ｄと、メニュー切替・実行キー２０ｅと、ＥＶＦ切替キー２０ｆとが備えられている。
【００１７】
第１液晶表示パネル２３ａは、覗き式のＥＶＦとして機能する。第２液晶表示パネル２５ａは、静止画像、構図確認用のスルー画像、電子カメラ１の操作メニュー等を表示するＥＶＦとして機能する。広角ズームキー２０ｂは、焦点距離を広角側に変更するための操作ボタンである。望遠ズームキー２０ｃは、焦点距離を望遠側に変更するための操作ボタンである。電源ボタン２０ｄは、電子カメラ１の電源をオンオフするボタンである。メニュー切替・実行キー２１ｅは、電子カメラ１で使用されるメニューを自在に切り替えて設定条件を選択若しくは実行する操作ボタンである。ＥＶＦ切替キー２０ｆは、第１液晶表示部２３若しくは第２液晶表示部２５の使用を選択する操作ボタンである。
【００１８】
図３は、電子カメラ１の構成を示すブロック図である。図３に示す通り電子カメラ１には、撮影レンズ１０ａと、レンズユニット１０ｂと、撮影レンズ駆動部１１と、絞り１２と、絞り駆動部１３と、撮像素子１４と、タイミングジェネレータ（ＴＧ）１５と、アナログフロントエンド部(以下、「ＡＦＥ」という。)１６と、画像処理部１７と、ＲＡＭ（Ｒａｎｄｏｍ  Ａｃｃｅｓｓ  Ｍｅｍｏｒｙ）１８と、ＲＯＭ（Ｒｅａｄ  Ｏｎｌｙ  Ｍｅｍｏｒｙ）１９と、操作部２０と、ＣＰＵ２１と、第１表示ドライバ２２と、第１液晶表示部２３と、第２表示ドライバ２４と、第２液晶表示部２５と、記録インターフェース（記録Ｉ／Ｆ）２６と、記録媒体２７と、バス２８と、電源部２９とが備えられている。このうち画像処理部１７、ＲＡＭ１８、ＲＯＭ１９、ＣＰＵ２１、第１表示ドライバ２２、第２表示ドライバ２４及び記録インターフェース（記録Ｉ／Ｆ）２６は、バス２８を介して互いに接続されている。また、操作部２０や電源部２９はＣＰＵ２１に接続されている。
【００１９】
撮影レンズ１０ａは、ズームレンズと、フォーカスレンズとを含む複数のレンズ群で構成されている。なお、簡単のため、図３では、撮影レンズ１０ａを１枚のレンズとして図示する。撮影レンズ１０ａを構成する各々のレンズは、撮影レンズ駆動部１１によって光軸方向に移動する。なお、撮影レンズ駆動部１１の入出力は、ＣＰＵ２１と接続されている。
【００２０】
絞り１２は、撮影レンズ１０ａからの入射光量を調整する。絞り１２の開口量は、絞り駆動部１３によって調整される。なお、絞り駆動部１３の入出力は、ＣＰＵ２１と接続されている。
【００２１】
撮像素子１４は、撮影レンズ１０ａからの入射光を光電変換することにより、画像信号（アナログ信号）を生成する。なお、撮像素子１４は、撮影時に記録用の画像を出力する。また、撮影待機時には、撮像素子１４はスルー画像を出力する。
【００２２】
また、タイミングジェネレータ（ＴＧ）１５は、ＣＰＵ２１からの指示に従い撮像素子１４及びＡＦＥ１６の各々へ向けて駆動信号を送出し、それによって両者の駆動タイミングを制御する。
【００２３】
ＡＦＥ１６は、撮像素子１４が生成する画像信号に対して信号処理を施すアナログフロントエンド回路である。このＡＦＥ１６は、画像信号のゲイン調整や、画像信号のＡ／Ｄ変換などを行う。このＡＦＥ１６が出力する画像信号（デジタル信号）は、画像処理部１７へ入力される。
【００２４】
画像処理部１７は、ＡＦＥ１６が出力するＲＧＢ信号の画像データをＲＡＭ１８のフレームメモリに一時的に記憶させる。また、画像処理部１７は、ＲＧＢ信号の画像データを輝度（Ｙ）と色（Ｃ）とで表されるＹＣ信号の画像データに変換する。
【００２５】
また、画像処理部１７は、ＲＡＭ１８のフレームメモリに記憶されている画像データに対してホワイトバランス補正処理などの画像処理を行う。
【００２６】
第１液晶表示部２３は、上述した通り、第１液晶表示パネル２３ａと第１ＬＥＤ２３ｂとを有する。第１ＬＥＤ２３ｂは、第１液晶表示パネル２３ａの背面側に配置されている。第１表示ドライバ２２は、後述するＣＰＵ２１のバックライト制御部２１ａの指示を受けてパルス発光のデューティ比を変えることにより、第１ＬＥＤ２３ｂの発光状態を制御する。第１ＬＥＤ２３ｂは、複数のＬＥＤで構成されている。
【００２７】
また、第２液晶表示部２５は、上述した通り、第２液晶表示パネル２５ａと、第２ＬＥＤ２５ｂとを有する。第２ＬＥＤ２５ｂは、第２液晶表示パネル２５ａの背面側に配置されている。第２表示ドライバ２４は、第１表示ドライバ２２と同様、バックライト制御部２１ａの指示を受けてパルス発光のデューティ比を変えることにより、第２ＬＥＤ２５ｂの発光状態を制御する。第２ＬＥＤ２５ｂも、複数のＬＥＤで構成されている。なお、バックライトとしては、ＬＥＤに限られず、パルス発光可能なバックライトであればよい。
【００２８】
本実施形態の電子カメラ１は、電源がオンになるとＥＶＦ切替キー２０ｆの設定に応じて、第１液晶表示部２３若しくは第２液晶表示部２５のいずれか一方が動作する。例えば、電源がオン時にＥＶＦ切替キー２０ｆの設定が、第２液晶表示部２５であれば、第２表示ドライバ２４は、第２ＬＥＤ２５ｂの発光を開始させる。
【００２９】
この状態で、ユーザが第１液晶表示部２３を利用して撮影したい場合には、ＥＶＦ切替キー２０ｆの設定を第１液晶表示部２３に切り替えればよい。すると、第２表示ドライバ２４は、第２ＬＥＤ２５ｂの発光を停止させる。一方、第１表示ドライバ２２は、第１ＬＥＤ２３ｂの発光を開始させる。これにより、電子カメラ１の電源がオン状態では、第１液晶表示部２３若しくは第２液晶表示部２５のいずれか一方が動作する。なお、液晶表示部を２つ備えたのは一例であって、これに限られるものではない。
【００３０】
記録インターフェース（記録Ｉ／Ｆ）２６には、記録媒体２７を接続するためのコネクタが形成されている。記録インターフェース（記録Ｉ／Ｆ）２６は、ＣＰＵ２１からの指示により、そのコネクタに接続された記録媒体２７にアクセスして画像の記録処理等を行う。
【００３１】
操作部２０は、既に図２で説明した電子カメラ１の背面及び上面に備えられている各操作ボタン（レリーズボタン２０ａ、広角ズームキー２０ｂ、望遠ズームキー２０ｃ、電源ボタン２０ｄ、メニュー切替・実行キー２０ｅ及びＥＶＦ切替キー２０ｆ）の操作を受付けてＣＰＵ２１に処理の命令を出す。
【００３２】
電源部２９は、不図示の電池を内蔵し、電源ボタン２０ｄからの電源投入操作を受けて、ＣＰＵ２１の指示により、各ブロックに給電する。
【００３３】
ＣＰＵ２１は、電子カメラ１の統括的な制御を行うプロセッサである。ＣＰＵ２１は、ＲＯＭ１９に予め格納されたシーケンスプログラムを実行することにより、各処理のパラメータを算出したり、電子カメラ１の各部を制御したりする。また、本実施形態のＣＰＵ２１は、バックライト制御部２１ａや撮影準備動作検出部２１ｂとしても機能する。
【００３４】
バックライト制御部２１ａは、パルス発光のデューティ比を変えることにより、第１ＬＥＤ２３ｂ若しくは第２ＬＥＤ２５ｂの発光状態を制御する。
【００３５】
バックライト制御部２１ａは、ＣＰＵ２１がユーザからの半押し操作を受付けた後、デューティ比の値が予め記憶されているテーブル（不図示）を参照し、デューティ比を変更して発光状態を制御する。このテーブルは予めＲＯＭ１９に記憶されている。
【００３６】
撮影準備動作検出部２１ｂは、電子カメラ１の撮影準備動作を検出する（詳細は後述する）。
【００３７】
次に、第１実施形態における電子カメラ１の動作の一例を説明する。
【００３８】
図４は、電子カメラ１の動作の一例を表すフローチャートである。なお、以下の説明では、ユーザが、第１液晶表示パネル２３ａを見ながら撮影するものとする。また、ユーザが電子カメラ１の電源をオンすると、ＥＶＦ切替キー２０ｆの設定によって、第１ＬＥＤ２３ｂ若しくは第２ＬＥＤ２５ｂが発光する。本実施形態では、ＥＶＦ切替キー２０ｆの設定が第１液晶表示部２３になっており、第１ＬＥＤ２３ｂが、デューティ比２０％でパルス発光をするものとする。
【００３９】
ステップＳ１０１：ＣＰＵ２１は、撮像素子１４を駆動させることにより、スルー画像の取得を開始する。このスルー画像は、第１液晶表示パネル２３ａに表示される。
【００４０】
ステップＳ１０２：ＣＰＵ２１の撮影準備動作検出部２１ｂは、図１に示すレリーズボタン２０ａが半押しされたか否かを監視する。レリーズボタン２０ａが半押しされた場合（ステップＳ１０２：Ｙｅｓ）、ステップＳ１０３の処理に移行する。一方、ＣＰＵ２１の撮影準備動作検出部２１ｂが半押しを検知しない場合（ステップＳ１０２：Ｎｏ）、レリーズボタン２０ａが半押しされるまでステップＳ１０２を繰り返す。
【００４１】
ステップＳ１０３：ＣＰＵ２１は、半押しタイマをオンにする。すると、ＣＰＵ２１は、タイマ（不図示）を用いて時間のカウントを開始する。半押しタイマの設定時間は、一例として８秒とする。なお、半押しタイマの設定時間は、予め任意の時間を設定できるものとする。
【００４２】
ステップＳ１０４：ＣＰＵ２１は、ＲＯＭ１９内のデューティ比変更用のテーブル（不図示）を参照する。そして、ＣＰＵ２１は、第１ＬＥＤ２３ｂのパルス発光のデューティ比を６０％に決定する。ＣＰＵ２１のバックライト制御部２１ａは、半押しタイマオンに連動して、第１ＬＥＤ２３ｂのパルス発光のデューティ比を６０％に設定し、第１表示ドライバ２２にパルス発光の指示を出す。第１表示ドライバ２２は、第１ＬＥＤ２３ｂのパルス発光のデューティ比を６０％にして発光させる。
【００４３】
図５は、デューティ比を変えた場合のパルス発光の一例を説明する図である。図６は、第１液晶表示パネル２３ａに表示されているスルー画像の一例の図である。
【００４４】
図５（ａ）は、比較例として連続発光の場合における時間と第１ＬＥＤ２３ｂに投入する電力との関係を表している。なお、第２ＬＥＤ２５ｂについても同様とする。スルー画像のフレームレートは、一例として、１６.７ｍｓとする。連続発光の場合、第１ＬＥＤ２３ｂに投入する電力は連続的に一定である。図中、半押しタイマオンまでは、２フレーム分しか記載されていないが、実際には、電源オンから発光しているものとする。
【００４５】
図５（ｂ）は、パルス発光の場合における時間と第１ＬＥＤ２３ｂに投入する電力との関係を表している。図５（ｂ）において、半押しタイマオンの前後で、デューティ比が２０％から６０％に変更される。この変更がステップＳ１０４の処理に相当する。なお、図５（ｃ）については、後述する。
【００４６】
ここで、図６（ａ）は、デューティ比２０％の場合のスルー画像を表している。また、図６（ｂ）は、デューティ比６０％の場合のスルー画像を表している。さらに、図６（ｃ）は、比較例として連続発光（デューティ比１００％）の場合のスルー画像を表している。図６（ａ）〜（ｃ）において、網掛け処理の度合いが輝度の度合いを表している（以下、同様とする）。ここでは、デューティ比が２０％から６０％に変更されると、ステップＳ１０５の処理に移行する。
【００４７】
ステップＳ１０５：ＣＰＵ２１は、予め設定した時間（８秒）が経過したか否かを監視する。設定時間を経過した場合（ステップＳ１０５：Ｙｅｓ）、ステップＳ１１１に移行する。ステップＳ１１１の処理は後述する。
【００４８】
一方、設定時間を経過していない場合（ステップＳ１０５：Ｎｏ）、ステップＳ１０６に移行する。
【００４９】
ステップＳ１０６：ＣＰＵ２１は、レリーズボタン２０ａが全押しされたか否かを監視する。レリーズボタン２０ａが全押しされた場合（ステップＳ１０６：Ｙｅｓ）、ステップＳ１０７に移行する。一方、ＣＰＵ２１が全押しを検知しない場合（ステップＳ１０６：Ｎｏ）、ステップＳ１０５に戻り、レリーズボタン２０ａが全押しされるまでステップＳ１０５、ステップＳ１０６の処理を繰り返す。
【００５０】
ステップＳ１０７：ＣＰＵ２１は、操作部２０からの全押し操作を受けて、本画像取得のため、タイミングジェネレータ（ＴＧ）１５を介して撮像素子１４を駆動させる。ＡＦＥ１６では、画像信号のゲイン調整や画像信号のＡ／Ｄ変換が行われる。このＡＦＥ１６が出力する画像信号（デジタル信号）は、画像処理部１７へ入力される。画像処理部１７は、ＡＦＥ１６が出力する本画像のデータをＲＡＭ１８のフレームメモリに記憶させる。
【００５１】
ステップＳ１０８： 画像処理部１７は、ホワイトバランス補正処理などの画像処理を行う。
【００５２】
ステップＳ１０９：ＣＰＵ２１は、本画像のデータを圧縮処理して記録媒体２７に保存する。
【００５３】
ステップＳ１１０：ＣＰＵ２１は、電源がオフされたか否かを判定する。電源がオフされない場合（ステップＳ１１０：Ｎｏ）、再び、ステップＳ１０２に戻る。一方、電源がオフされた場合（ステップＳ１１０：Ｙｅｓ）、この処理ルーチンは終了する。
【００５４】
次に、ステップＳ１０５の判定において、設定時間を経過した場合（ステップＳ１０５：Ｙｅｓ）の処理について説明する。この場合、ステップＳ１１１に進む。
【００５５】
ステップＳ１１１：ＣＰＵ２１は、第１ＬＥＤ２３ｂのパルス発光のデューティ比を６０％から２０％に戻す。具体的は、ＣＰＵ２１のバックライト制御部２１ａは、第１ＬＥＤ２３ｂのパルス発光のデューティ比を２０％に設定し、第１表示ドライバ２２にパルス発光の指示を出す。第１表示ドライバ２２は、第１ＬＥＤ２３ｂのパルス発光のデューティ比を２０％にして発光させる。そして、ステップＳ１０２に戻る。ステップＳ１０２以降の処理は、上述した内容と同様であるため、説明は省略する。
【００５６】
以上、第１実施形態の電子カメラ１によれば、ユーザが電源をオンしてから半押しタイマがオンされるまでは、デューティ比２０％のパルス発光となる。また、半押しタイマがオンされた後、半押しタイマがオフされるまでは、デューティ比６０％のパルス発光となる。さらに、半押しタイマがオフされると、再び、デューティ比２０％のパルス発光となる。このような動作態様により、従来のような連続発光（デューティ比１００％）で画像出力をする場合と比較して、電池の消費電力を抑制することが可能となる。
【００５７】
なお、デューティ比２０％のパルス発光やデューティ比６０％のパルス発光は、一例であって、これに限定されるものではない。また、図４のフローチャートにおいて、半押しタイマがオフされると、再び、デューティ比２０％のパルス発光に戻るようにした。ここで、半押しタイマ期間中に全押し操作がなされると、その時点で、再び、デューティ比２０％のパルス発光に戻るようにしてもよい。
【００５８】
また、第１実施形態では、第１液晶表示部２３を動作させたが、第２液晶表示部２５を動作させた場合も同様である。
【００５９】
次に、第１実施形態の変形例について説明する。第１実施形態では、半押しタイマがオンされた後、半押しタイマがオフされるまでは、デューティ比６０％のパルス発光とした。
【００６０】
第１実施形態の変形例では、図５（ｃ）に示すように、半押しタイマがオンされた後、半押しタイマがオフされるまでは、連続発光（デューティ比１００％のパルス発光と同等）とする。この場合、図５（ｃ）に示すように、半押しタイマがオンされた後、半押しタイマがオフされるまでは、連続発光の場合におけるスルー画像が第１液晶表示パネル２３ａ上に表示される。但し、半押しタイマ中に全押し操作がなされると、静止画が第１液晶表示パネル２３ａ上に表示される。ここでは、図５（ｂ）と比較して消費電力よりも明るさが優先されることとなる。それでも、図５（ａ）と比較すると、電池の消費電力を抑制することがわかる。
（第２実施形態）
次に、第２実施形態について説明する。なお、本発明の第１実施形態と本発明の第２実施形態とでは、同じ要素については同じ符号を付して説明を省略する。
【００６１】
第２実施形態では、第１ＬＥＤ２３ｂ若しくは第２ＬＥＤ２５ｂを連続発光とするが、輝度を低めに抑えておく。そして、半押しタイマ期間中は、投入電力を上げて輝度を高める。以下、第２実施形態における電子カメラ１の動作の一例を説明する。
【００６２】
図７は、電子カメラ１の動作の一例を表すフローチャートである。以下の説明では、ユーザが、第１液晶表示パネル２３ａを見ながら撮影するものとする。また、ユーザが電子カメラ１の電源をオンすると、一例として、第１ＬＥＤ２３ｂの輝度が１００ｎｉｔｓの明るさの連続発光となる。
【００６３】
ここで、ステップＳ２０１〜ステップＳ２０３の処理は、第１実施形態のステップＳ１０１〜ステップＳ１０３の処理と同様であるので説明は、省略する。
【００６４】
ステップＳ２０４：ＣＰＵ２１は、第１ＬＥＤ２３ｂの輝度を２００ｎｉｔｓに決定する。ＣＰＵ２１のバックライト制御部２１ａは、半押しタイマオンに連動して、第１ＬＥＤ２３ｂの輝度を２００ｎｉｔｓに設定し、第１表示ドライバ２２に投入電力を上げる指示を出す。第１表示ドライバ２２は、投入電力を２倍にすることにより、第１ＬＥＤ２３ｂの輝度を２００ｎｉｔｓにして発光させる。
【００６５】
図８は、投入電力を変えた場合の連続発光の一例を説明する図である。図９は、第１液晶表示パネル２３ａに表示されているスルー画像の一例の図である。図８（ａ）は、比較例であって、バックライト制御部２１ａは、第１表示ドライバ２２を介して第１ＬＥＤ２３ｂの輝度を２００ｎｉｔｓにして連続発光させている状態を表している。一方、図８（ｂ）は、本実施形態の場合であって、バックライト制御部２１ａは、第１表示ドライバ２２を介して半押しタイマがオンになるまでは、第１ＬＥＤ２３ｂの輝度を１００ｎｉｔｓにして発光させている。半押しタイマがオンになると、第１ＬＥＤ２３ｂの輝度を２００ｎｉｔｓにして発光させる。図９（ａ）は、第１ＬＥＤ２３ｂの輝度を１００ｎｉｔｓにした場合の第１液晶表示パネル２３ａに表示されているスルー画像の一例の図である。また、図９（ｂ）は、第１ＬＥＤ２３ｂの輝度を２００ｎｉｔｓにした場合の第１液晶表示パネル２３ａに表示されているスルー画像の一例の図である。このようにして、第１ＬＥＤ２３ｂの輝度が１００ｎｉｔｓから２００ｎｉｔｓに変更されると、ステップＳ２０５の処理に移行する。
【００６６】
ステップＳ２０５：ＣＰＵ２１は、予め設定した時間（８秒）が経過したか否かを監視する。設定時間を経過した場合（ステップＳ２０５：Ｙｅｓ）、ステップＳ２１１に移行する。ステップＳ２１１では、ＣＰＵ２１は、第１ＬＥＤ２３ｂの輝度を２００ｎｉｔｓから１００ｎｉｔｓに戻す。そして、ステップＳ２０２に戻る。
【００６７】
設定時間を経過しない場合（ステップＳ２０５：Ｎｏ）は、ステップＳ２０６に移行する。ステップＳ２０６以後の処理（ステップＳ２０６〜ステップＳ２１０）は、第１実施形態のフローチャート（ステップＳ１０６〜ステップＳ１１０）の処理と同様であるので、説明は省略する。
【００６８】
以上、第２実施形態の電子カメラ１によれば、ユーザが電源をオンしてから半押しタイマがオンされるまでは、１００ｎｉｔｓの明るさの連続発光となる。また、半押しタイマがオンされた後、半押しタイマがオフされるまでは、２００ｎｉｔｓの明るさの連続発光となる。さらに、半押しタイマがオフされると、再び、１００ｎｉｔｓの明るさの連続発光となる。このような動作態様により、従来のような連続発光で画像出力をする場合と比較して、電池の消費電力を抑制することが可能となる。
【００６９】
なお、上記説明では、第１液晶表示部２３を動作させたが、第２液晶表示部２５を動作させた場合も同様である。また、第１ＬＥＤ２３ｂの輝度を１００ｎｉｔｓから２００ｎｉｔｓとしたのは一例であって、これに限定されるものではない。
【００７０】
次に、第２実施形態の変形例について説明する。第２実施形態の変形例では、半押しタイマのオン時ではなく、合焦時にＥＶＦの輝度を変更するとともに、合焦ポイントを示すマークを重畳表示する。
【００７１】
第２実施形態の変形例における電子カメラ１では、複数の測距点を測距することにより、測距点の内から合焦点を検出する焦点検出手段をさらに備える。この焦点検出手段は、公知の技術によって実現される。なお、撮影準備動作検出部２１ｂは、撮影準備動作を検出するが、第２実施形態の変形例では、焦点検出手段の動作を撮影準備動作として検出する。
【００７２】
以下、第２実施形態の変形例における電子カメラ１の動作の一例を図７〜図１０を参照しつつ説明する。
【００７３】
図７において、この変形例では、ステップＳ２０３とステップＳ２０４との間に合焦点検出の処理が新たに追加される。具体的には、ステップＳ２０３の処理の後、ＣＰＵ２１は、公知の焦点検出手段にて複数の測距点を測距することにより、測距点の内から合焦点を検出する。そして、ステップＳ２０４の処理に移行する。ステップＳ２０４では、ＣＰＵ２１の撮影準備動作検出部２１ｂが、合焦点の検出を受けて、第１ＬＥＤ２３ｂの輝度を２００ｎｉｔｓに決定する。ＣＰＵ２１のバックライト制御部２１ａは、半押しタイマがオフするまで、第１ＬＥＤ２３ｂの輝度を２００ｎｉｔｓにして発光させる。
【００７４】
図８（ｂ）において、この変形例では、バックライト制御部２１ａは、半押しタイマがオンになった後、合焦時までは、第１ＬＥＤ２３ｂの輝度を１００ｎｉｔｓにして発光させている。合焦時になると、バックライト制御部２１ａは、半押しタイマがオフになるまで第１ＬＥＤ２３ｂの輝度を２００ｎｉｔｓにして発光させる。したがって、図８（ｂ）に示す半押しタイマオンのタイミングが合焦時に置き換わり、図８（ｂ）に示す半押しタイマオンは、それ以前のタイミングで実行される。
【００７５】
図１０は、第１液晶表示パネル２３ａに表示されているスルー画像の一例の図である。図１０（ａ）は、第１ＬＥＤ２３ｂの輝度を１００ｎｉｔｓにした場合の第１液晶表示パネル２３ａに表示されているスルー画像の一例の図である。ここで、第１ＬＥＤ２３ｂの輝度が１００ｎｉｔｓから２００ｎｉｔｓに変更されると、ＣＰＵ２１は、第１表示ドライバ２２に指示を出すことにより、第１液晶表示パネル２３ａ上の合焦点の位置に合焦マークＭを表示させる。図１０（ｂ）は、第１ＬＥＤ２３ｂの輝度を２００ｎｉｔｓにするとともに、合焦マークＭを重畳表示させたスルー画像の一例の図を表している。
【００７６】
続いて、ステップＳ２０５の処理に移行し、設定時間を経過しない場合（ステップＳ２０５：Ｎｏ）は、ステップＳ２０６に移行する。ステップＳ２０６以後の処理は、第２実施形態と同様である。
【００７７】
一方、ステップＳ２０５の処理にて、設定時間を経過した場合（ステップＳ２０５：Ｙｅｓ）、ステップＳ２１１に移行し、ＣＰＵ２１は、第１ＬＥＤ２３ｂの輝度を２００ｎｉｔｓから１００ｎｉｔｓに戻す。さらに、ＣＰＵ２１は、第１表示ドライバ２２に指示を出すことにより、合焦マークＭをスルー画像上から消去させる。そして、ステップＳ２０２に戻る。ステップＳ２０２以後の処理は上述した通りである。
【００７８】
以上、第２実施形態の変形例における電子カメラ１によれば、合焦時に表示画面が明るくなるとともに、合焦点を示すマークが重畳表示される。このような動作態様により、従来のような連続発光で画像出力をする場合と比較して、電池の消費電力を抑制することが可能となる。さらに、ユーザが合焦時の確認やシャッタチャンスの全押し操作をやりやすくなるという効果が新たに得られる。
【００７９】
なお、合焦マークＭは、図１０に示したマークＭに限られず、例えば、ハートのマーク星印のマーク、指のマーク、矢印のマークなど、任意のマークであってよい。
＜実施形態の補足事項＞
（１）上記実施形態では、ＥＶＦとして液晶表示パネルを採用して説明したが、例えば、有機ＥＬ（Ｅｌｅｃｔｒｏ  Ｌｕｍｉｎｅｓｃｅｎｃｅ）の表示パネルであってもよい。この場合、有機ＥＬに投入する電力を変えることにより、第２実施形態で説明した内容と同様な効果を得ることができる。
【００８０】
（２）上記実施形態では、輝度変更のトリガとなる撮影準備動作として、半押し動作や合焦動作を例示して説明したが、これらに限られず、例えば、撮影準備動作をズーム動作としてもよい。
【００８１】
（３）上記実施形態では、第１液晶表示部２３と第２液晶表示部２５との切替えをＥＶＦ切替キー２０ｆで行った。他の切替え手段としては、例えば、特開２００２−１５６６７５号公報に記載されている接眼検出処理を行うことにより、ユーザの視線が第１液晶表示パネル２３ａに向けられているか否かを検出するようにしてもよい。そして、検出結果に応じて、第１液晶表示部２３と第２液晶表示部２５とを切替えて使用するようにしてもよい。
【図面の簡単な説明】
【００８２】
【図１】第１実施形態の電子カメラ１を側面から見た概略断面図
【図２】図１に示す電子カメラ１の背面図
【図３】電子カメラ１の構成を示すブロック図
【図４】電子カメラ１の動作の一例を表すフローチャート
【図５】デューティ比を変えた場合のパルス発光の一例を説明する図
【図６】第１液晶表示パネル２３ａに表示されているスルー画像の一例の図
【図７】電子カメラ１の動作の一例を表すフローチャート
【図８】投入電力を変えた場合の連続発光の一例を説明する図
【図９】第１液晶表示パネル２３ａに表示されているスルー画像の一例の図
【図１０】第１液晶表示パネル２３ａに表示されているスルー画像の一例の図
【符号の説明】
【００８３】
１、２・・・電子カメラ、２１ａ・・・バックライト制御部、２１ｂ・・・撮影準備動作検出部、２２・・・第１表示ドライバ、２３・・・第１液晶表示部、２３ａ・・・第１液晶表示パネル、２３ｂ・・・第１ＬＥＤ、２４・・・第２表示ドライバ、２５・・・第２液晶表示部、２５ａ・・・第２液晶表示パネル、２５ｂ・・・第２ＬＥＤ
【図１】
2009278453.tif 000003
【図２】
2009278453.tif 000004
【図３】
2009278453.tif 000005
【図４】
2009278453.tif 000006
【図５】
2009278453.tif 000007
【図６】
2009278453.tif 000008
【図７】
2009278453.tif 000009
【図８】
2009278453.tif 000010
【図９】
2009278453.tif 000011
【図１０】
2009278453.tif 000012